(57)【要約】【課題】  紐状パッキンの両端面を所定の傾斜角度で互いに平行をなすように容易に切断加工が可能なパッキン支持治具を提供する。【解決手段】  紐状パッキン１５の両端部１６、１７を支持し、該紐状パッキン１５の両端面を切断加工するパッキン支持治具１であって、前記紐状パッキン１５の両端部１６，１７を挿脱可能に支持する上下一対のパッキン支持孔３〜５と、該パッキン支持孔３〜５を該パッキン支持孔３〜５の軸線３ａ〜５ａに対して所定の傾斜角度で横切るように設けられるとともに、切断刃を挿脱可能なスリット２とを備えている。パッキン支持孔３〜５内に紐状パッキンの両端部１６、１７を挿入させ、スリット２内に切断刃を挿入することで、紐状パッキンの両端部１６、１７を所定の傾斜角度で互いに平行をなすように切断加工することができる。【選択図】        図１
2014190435.tif 000002
【特許請求の範囲】
【請求項１】
紐状パッキンの両端部を支持し、該紐状パッキンの両端面を切断加工するパッキン支持治具であって、
前記紐状パッキンの両端部を挿脱可能に支持する上下一対のパッキン支持孔と、該パッキン支持孔を該パッキン支持孔の軸線に対して所定の傾斜角度で横切るように設けられるとともに、切断刃を挿脱可能なスリットとを備えていることを特徴とするパッキン支持治具。
【請求項２】
大きさの異なる上下一対のパッキン支持孔が複数箇所に設けられ、各一対のパッキン支持孔を横切るように前記スリットが設けられていることを特徴とする請求項１に記載のパッキン支持治具。
【請求項３】
（透明体の上位概念の可視体としました。）
可視体からなることを特徴とする請求項１又は２に記載のパッキン支持治具。
【請求項４】
請求項１〜３の何れか１項に記載のパッキン支持治具と、該パッキン支持治具を支持する基台と、該基台に設けられるとともに、前記パッキン支持治具のスリットに挿脱可能な切断刃とを備えていることを特徴とするパッキン切断装置。
【発明の詳細な説明】
【技術分野】
【０００１】
本発明は、パッキンの切断治具及びパッキンの切断装置に関し、特に、円形断面の紐状パッキンの端面を所定の傾斜角度で切断するのに有効なパッキンの切断治具及びパッキンの切断装置に関する。
【背景技術】
【０００２】
従来、円形断面の紐状パッキンをリング状にしてシール対象物のシール箇所に装着する場合、紐状パッキンの両端面を所定の傾斜角度（例えば、開先角度約３０°）で互いに平行をなすように切断加工し、紐状パッキンを捻じれが生じなうように丸めて両端面を互いに密着させ、この状態でシール箇所に装着している。
【０００３】
このように切断加工した紐状パッキンの両端面を互いに密着させた状態でシール箇所に装着することにより、シール対象物に負荷が作用しても、紐状パッキンの両端面間に隙間が形成されることはなく、シール対象物のシール箇所をシールし続けることができる。
【０００４】
ところで、紐状パッキンの両端面を所定の傾斜角度で互いに平行をなすように切断加工する場合、カッター等の切断工具を用いて作業者の手作業によって紐状パッキンの両端を切断加工しているが、作業者の熟練度によって切断面の仕上げ状態にばらつきが生じる。このため、経験の浅い作業者では、紐状パッキンの両端面を所定の傾斜角度で互いに平行をなすように切断加工するのが難しく、紐状パッキンを丸めてシール対象箇所に装着した
際に、紐状パッキンの両端面間に隙間が形成され、シール性が損なわれるおそれがある。
【０００５】
上記のような切断面の仕上げ状態のばらつきに対処するために、例えば、特許文献１に記載されている技術を適用することが考えられる。特許文献１に記載の技術（切断機）は、ゴムチューブを挿着する貫通孔を有するとともに、貫通孔を横切る切欠溝を有する保持具と、回転可能に設けられる丸刃と、丸刃を上下移動させるアクチュエータと備えたものである。
【０００６】
このような構成の切断機の保持具の貫通孔内に紐状パッキンを挿着し、丸刃を回転させた状態で保持具の切欠溝内に進入させることにより、経験の浅い作業者であっても、貫通孔内に挿着されている紐状パッキンの端部を紐状パッキンの軸線に直交する垂直面で切断することはできる。
【０００７】
しかし、特許文献１に記載の技術を適用しても、紐状パッキンの両端面を所定の傾斜角度で（例えば、開先角度約３０°）互いに平行をなすように切断加工することはできない。
【先行技術文献】
【特許文献】
【０００８】
【特許文献１】特開２００１−３２２０８５号公報
【発明の概要】
【発明が解決しようとする課題】
【０００９】
本発明は、上記のような従来の問題に鑑みなされたものであって、経験の浅い作業者であっても、紐状パッキンの両端面を所定の傾斜角度で互いに平行をなすように切断加工することができるパッキンの切断治具及びパッキンの切断装置を提供することを目的とする。
【課題を解決するための手段】
【００１０】
上記のような課題を解決するために、本発明は、以下のような手段を採用している。
すなわち、本発明は、紐状パッキンの両端部を支持し、該紐状パッキンの両端面を切断加工するパッキン支持治具であって、前記紐状パッキンの両端部を挿脱可能に支持する上下一対のパッキン支持孔と、該パッキン支持孔を該パッキン支持孔の軸線に対して所定の傾斜角度で横切るように設けられるとともに、切断刃を挿脱可能なスリットとを備えていることを特徴とする。
【００１１】
本発明のパッキン支持治具によれば、紐状パッキンの両端部を上下一対のパッキン支持孔内に挿入し、この状態で切断刃をスリット内に挿入することで、紐状パッキンの両端面を所定の傾斜角度で切断加工することができる。従って、経験の浅い作業者であっても、紐状パッキンの両端を容易に所定の傾斜角度で互いに平行をなすように切断加工することができる。
【００１２】
また、本発明において、大きさの異なる上下一対のパッキン支持孔が複数箇所に設けられ、各一対のパッキン支持孔を横切るように前記スリットが設けられていることとしてもよい。
【００１３】
本発明のパッキン支持治具によれば、紐状パッキンの直径に応じたパッキン支持孔内に紐状パッキンの両端部を挿入させることにより、直径の異なる各種の紐状パッキンの両端面の切断加工に適用することができる。
【００１４】
また、本発明において、可視体（透明体）からなることとしてもよい。
【００１５】
本発明のパッキン支持治具によれば、パッキン支持孔内に挿入した紐状パッキンの両端部の状態をパッキン支持治具の外面側から透視できるので、紐状パッキンの両端部に罫書いた切断線をスリットの位置に合わせる作業を容易に行うことができる。
【００１６】
また、本発明パッキン切断装置は、請求項１〜３の何れか１項に記載のパッキン支持治具と、該パッキン支持治具を支持する基台と、該基台に設けられるとともに、前記パッキン支持治具のスリットに挿脱可能な切断刃とを備えていることを特徴とする。
【発明の効果】
【００１７】
以上、説明したように、本発明のパッキンの切断治具及びパッキンの切断装置によれば、経験の浅い作業者であっても、紐状パッキンの両端面を所定の傾斜角度で互いに平行をなすように容易に切断加工することができる。
【図面の簡単な説明】
【００１８】
【図１】本発明によるパッキン支持治具の一実施を示した平面図である。
【図２】図１の正面図である。
【図３】パッキンの平面図である。
【図４】図３のパッキンの正面図である。
【図５】パッキン切断装置の第１の実施の形態を示した平面図である。
【図６】図５の正面図である。
【図７】パッキン切断装置の第２の実施の形態を示した平面図である。
【図８】図７の正面図である。
【発明を実施するための形態】
【００１９】
以下、図面を参照しながら本発明の実施の形態について説明する。
図１〜図８には、本発明によるパッキン支持治具及びパッキン切断装置の実施の形態が示されている。本発明のパッキン支持治具及びパッキン切断装置は、紐状パッキン１５をリング状にして使用する場合に適用され、紐状パッキン１５の両端面１６ａ、１７ａを所定の傾斜角度で互いに平行をなすように切断加工するのに有効なものである。
なお、本実施の形態においては、図３及び図４に示すように、円形断面の紐状パッキン１５を使用し、紐状パッキン１５の両端面を所定の傾斜角度（開先角度約３０°）で切断加工する場合に適用している。ここで、開先角度ａとは、紐状パッキン１５の軸線１５ａと紐状パッキン１５の端面１６ａ、１７ａとのなす角度を意味する。
【００２０】
本実施の形態のパッキン支持治具１は、図１及び図２に示すように、合成樹脂材等から形成される直方体状をなすものであって、中心線１ｇ上に上下面１ａ、１ｂ間を貫通するスリット２が右側面１ｃから左側面１ｄに向かって所定の位置まで延出するように設けられ、このスリット２内に図２の上方又は右側方から切断刃６が挿脱可能に構成されている。
【００２１】
パッキン支持治具１には、前後面１ｅ、１ｆ間を貫通する大きさの異なる円形断面のパッキン支持孔３、４、５が上下一対ずつ３箇所に設けられ、各一対のパッキン支持孔３、４、５内にパッキン支持治具１の前面１ｅ側又は後面１ｆ側から、各一対のパッキン支持孔３、４、５に合致した直径の紐状パッキン１５の両端部１６、１７が挿脱可能に構成されている。
【００２２】
各一対のパッキン支持孔３、４、５は、その中心線３ａ、４ａ、５ａとパッキン支持治具１の中心線１ｇ（スリット２の中心を通る線）とのなす角度が約３０°となるように、かつ、上下のパッキン支持孔３、４、５の中心線３ａ、４ａ、５ａが同一鉛直面上に配置されるように、パッキン支持治具１にそれぞれ水平に設けられている。
【００２３】
これにより、各一対のパッキン支持孔３、４、５によって支持される紐状パッキン１５の両端部１６、１７を、スリット２内に挿入させる切断刃６により同一加工条件で切断加工することができ、紐状パッキン１５の両端面１６ａ、１７ａを開先角度ａが約３０°で互いに平行をなす端面１６ａ、１７ａに加工することができる。
【００２４】
パッキン支持治具１は、アクリル樹脂等の可視体の合成樹脂材で形成するのが好ましい。パッキン支持治具１を可視体の合成樹脂材で形成することにより、各パッキン支持孔３、４、５内に挿入した紐状パッキン１５の状態をパッキン支持治具１の外面側から透視することができ、紐状パッキン１５の両端部１６、１７に罫書いた切断線をパッキン支持治具１のスリット２に合わせる作業を容易に行うことができる。可視体としては、紐状パッキン１５の状態をパッキン支持治具１の外面側から透視することができるものであればよく、例えば、透明体、半透明体の合成樹脂材等が挙げられる。
【００２５】
そして、上記のように構成した本実施の形態のパッキン支持治具１を用いて紐状パッキン１５の両端部１６、１７を切断加工するには、例えば、パッキン支持治具１を作業台の上部に配置し、所定の長さに切断した紐状パッキン１５を作業台上で捻じれが生じないようにリング状に曲げ、この状態で紐状パッキン１５の両端部１６、１７をそれぞれパッキン支持治具の前面１ｅ側及び後面１ｆ側から上下のパッキン支持孔３、３内に挿入し、紐状パッキン１５の両端部１６、１７に予め罫書いておいた切断線をスリット２の位置に合わせる。
【００２６】
そして、この状態でパッキン支持治具１及び紐状パッキン１５を手で押さえて、パッキン支持治具１のスリット２内に切断刃６を上下方向又は水平方向から挿入することにより、紐状パッキン１５の両端部１６、１７を切断する。なお、切断刃６は、特に制限はなく、市販のカッターナイフ等、各種のタイプのものを使用することができる。
【００２７】
このようにして、紐状パッキン１５の両端部１６、１７を切断刃６で切断することにより、図３及び図４に示すように、紐状パッキン１５の両端部１６、１７を同一加工条件で切断加工することができ、紐状パッキン１５の両端面１６ａ、１７ａを開先角度ａが約３０°で互いに平行をなす端面１６ａ、１７ａに仕上げることができる。
【００２８】
上記のように構成した本実施の形態のパッキン支持治具１にあっては、パッキン支持孔３、４、５内に紐状パッキン１５の両端部１６、１７を挿入するとともに、スリット２内に切断刃６を挿入することにより、紐状パッキン１５の両端部１６、１７を同一加工条件で切断加工することができる。
【００２９】
従って、経験の浅い作業者であっても、紐状パッキン１５の両端面１６ａ、１７ａの開先角度ａが約３０°で互いに平行をなすように切断加工することができる。これにより、紐状パッキン１５をシール対象物のシール箇所に装着した場合に、シール対象物に負荷が作用しても、紐状パッキン１５の両端面１６ａ、１７ａ間を密着した状態に保つことができるので、両端面１６ａ、１７ａ間に隙間が形成されてシール性が損なわれるようなことはなく、長期的に良好なシール性を維持することができる。
【００３０】
図５及び図６には、本発明によるパッキン切断装置１０の第１の実施の形態が示されている。本実施の形態のパッキン切断装置１０は、パッキン支持治具１と、パッキン支持治具１を支持する基台９と、基台９の上部に回動可能、かつパッキン支持治具１に挿脱可能に設けられる切断刃６とを備えている。
【００３１】
パッキン支持治具１は、図１及び図２に示すパッキン支持治具１の中心部に、左側面１ｄと右側面１ｃとの間を貫通するようにスリット２を設けたものであって、その他の構成は図１及び図２に示すパッキン支持治具１と同様である。このパッキン支持治具１は、中心部のスリット２が所定の幅を保つように、基台９の上部にねじ等によって固定されている。
【００３２】
切断刃６は、帯板状をなすものであって、長手方向の一端が基台９の上部に設けられた支持部７に支持ピン８によって回動自在に支持され、切断刃６を支持ピン８を中心して図５中下方又は上方に回動させることにより、切断刃６をパッキン支持治具１のスリット２内に挿脱させることができるようなっている。
【００３３】
そして、上記のように構成した本実施の形態のパッキン切断装置１０を用いて紐状パッキン１５の両端部１６、１７を切断加工するには、所定の長さに切断した紐状パッキン１５を捻じれが生じないようにリング状に曲げ、この状態で紐状パッキン１５の両端部１６、１７をパッキン支持治具１の前面１ｅ側及び後面１ｆ側から上下のパッキン支持孔３
３内に挿入し、紐状パッキン１５の両端部１６、１７に予め罫書いておいた切断線をスリット２の位置に合わせる。
【００３４】
そして、紐状パッキン１５を手で押さえて、切断刃６を図６中下方に回動させることにより、切断刃６をパッキン支持治具１のスリット２内に挿入し、紐状パッキン１５の両端部１６、１７を切断刃６で押し切る。
【００３５】
これにより、紐状パッキン１５の両端部１６、１７を同一加工条件で切断加工することができ、紐状パッキン１５の両端面１６ａ、１７ａを開先角度ａが約３０°で互いに平行をなす端面に１６ａ、１７ａ仕上げることができる。
【００３６】
上記のように構成した本実施の形態のパッキン切断装置１０にあっても、図１及び図２に示すパッキン支持治具１と同様の作用効果を奏し、パッキン支持治具１のパッキン支持孔３、４、５内に紐状パッキン１５の両端部１６、１７を挿入し、切断刃６を下方に回動させてスリット２内に挿入させることで、紐状パッキン１５の両端部１６、１７を同一加工条件で切断加工することができる。
【００３７】
従って、経験の浅い作業者であっても、紐状パッキン１５の両端面１６ａ、１７ａを開先角度ａが約３０°で互いに平行をなすように切断加工することができる。
【００３８】
図７及び図８には、本発明によるパッキン切断装置の第２の実施の形態が示されている。本実施の形態のパッキン切断装置１１は、パッキン支持治具１に右側面１ｃと左側面１ｄとの間を貫通する上下一対のパッキン支持孔３、３を設け、このパッキン支持治具１を、そのパッキン支持孔３、３の軸線３ａと基台９の上部の切断刃６を通る中心線１ｇとのなす角度ａが約３０°となるように、基台９の上部にねじ等によって固定し、さらに、パッキン支持治具１にパッキン支持孔３の軸線３ａとのなす角度が約３０°なすように、前後面１ｅ、１ｆ間を貫通するスリット２を設けたものであって、その他の構成は第１の実施の形態のパッキン切断装置１０と同様である。
【００３９】
そして、本実施の形態のパッキン切断装置１１にあっても、前記第１の実施の形態に示すパッキン切断装置１０を同様の作用効果を奏する。なお、本実施の形態においては、大きさの異なるパッキン支持孔３を設けた複数種のパッキン支持治具１を用意し、切断加工対象の紐状パッキン１５の直径に応じたパッキン支持孔３を備えたパッキン支持治具１を選択して使用することになる。
【００４０】
なお、前記の説明においては、本発明を円形断面の紐状パッキン１５に適用したが、楕円形断面、角形断面等の他の断面形状の紐状パッキンに本発明を適用してもよい。その場合には、それらの断面形状に合致したパッキン支持孔をパッキン支持治具に設ければよい。
【符号の説明】
【００４１】
１  パッキン支持治具
１ａ  上面
１ｂ  下面
１ｃ  右側面
１ｄ  左側面
１ｅ  前面
１ｆ  後面
１ｇ  中心線
２  スリット
３  パッキン支持孔
３ａ  中心線
４  パッキン支持孔
４ａ  中心線
５  パッキン支持孔
５ａ  中心線
６  切断刃
７  支持部
８  支持ピン
９  基台
１０  パッキン切断装置
１１  パッキン切断装置
１５  紐状パッキン
１５ａ  軸線
１６、１７  端部
１６ａ、１７ａ  端面
ａ  開先角度
【図１】
2014190435.tif 000003
【図２】
2014190435.tif 000004
【図３】
2014190435.tif 000005
【図４】
2014190435.tif 000006
【図５】
2014190435.tif 000007
【図６】
2014190435.tif 000008
【図７】
2014190435.tif 000009
【図８】
2014190435.tif 000010